(57)【要約】      （修正有）【課題】抜群の生分解性やエコ特性を有するにも拘わらず、需要が低迷するアルキルスルホン酸塩（ＳＡＳ）の特徴を改良する。【解決手段】ＳＡＳとノニオン系の代表種である脂肪酸エステルタイプ（エーテルも含む）を２大成分とし、組成を変えず、上記ノニオン系を中心にして、従来のアニオンリッチ、ノニオン（サブ的）の組み合わせを全く逆転させ、脂肪酸エステル中心のアミン中和物を形成する。これに緩衝作用も加わえ、水による希釈度が約５〜１３倍となった。ＳＡＳを１０〜３０ｗｔ％、脂肪酸エステルアミドを３０〜６５ｗｔ％混合し、中性域（ｐＨ５〜８値）を堅持し、水により粘性の規則性を修正し維持、安定する事が可能な事により、洗剤の性状、外観、洗浄力、仕上がり、エコ特性等を有する。【選択図】なし【特許請求の範囲】
【請求項１】
（１）下記の構造式からなるアルキルスルホン酸塩（以下ＳＡＳと称する）
2014214304.tif 000021
（２）（ａ）×（１〜５）＝（ｂ）であって（ｂ）＞（ａ）    ６０〜８５  ｗｔ％
（３）１〜多価アルコールを                                  ３〜１５  ｗｔ％
（４）水分を約１０％未満含みその原液をｐＨ５〜８に調整しアルキルスルホン酸塩を主体とする上記記載（１）〜（４）項の必須要件で構成を具備した濃縮液体洗剤組成物。
【請求項２】
ＳＡＳがＣ１５中心のアルキルスルホン酸塩（ＭＷ約３００〜３３０）であり
ＡＡがヤシ油脂肪酸のジアルカノールアミドであること。
【請求項３】
ＳＡＳとＡＡの配合量は６０〜８５ｗｔ％の範囲であり、１〜多価アルコールとして、エタノ−ル，ＩＰＡ，ブタノール，ＰＧ，ＤＰＧ，グリセリン，ソルビトール，ペンタエリスリトール，マルチトール，サリチル酸，没食子酸，ＨＧ，１−３ＢＧ，ベンジルアルコ−ル，フエノキシエタノール，ジグリセリンから選択して１種以上の併用を有する。
【発明の詳細な説明】
【発明の属する分野】
【０００１】  本発明は中性域で有効成分が最大８５％程度の界面活性剤とその他の補助成分を含み、水で適宜希釈して当該用途に供するアルキルスルホン酸塩（以下ＳＡＳという）を中核とした組成物に関し、水により最大約１３倍に希釈して本発明固有の恒常安定性をもって、その粘性と外観は変動が少ないものであり、ＳＡＳの最大の弱点を逆に最大の特徴として逆利用した洗剤に関するものである。
【０００２】  戦後（１９４５年以降）の洗剤は４大アニオン系成分のＬＡＳ（アルキルベンゼン系  以下ＬＡＳと称する）、石けん（ＦＡＳと称する）、高級アルコール硫酸エステル（ＡＳと称する）またはエーテル硫酸塩（ＡＥＳと称する）であり、これらは環境面及び特性の面で有利なため、その最大の特徴を活かした重質な洗剤類を逆に利用していた。本発明のコンセプトは水希釈タイプの合理的条件を具備した組成物に関するものである
【背景技術】
【０００３】  戦後はＳＡＳ，ＡＥＳ，ＡＯＳ（アルファオレフィンスルホネート）など界面活性剤（約１５〜３０％）を濃度にした中性タイプの洗剤が登場し、石けんから中性洗剤に移行させた。特に昭和３０年以後は野菜や果物の洗浄に関して、その表面に附着する害虫類を駆除する為に登場した。【０００４】  その中でＳＡＳはドイツのＩＧ（イーゲー）グループが光放射エネルギー（ｈν）をイニシエイターとして利用し、原料素材のｎ−パラフィンを直接スルホン化して、生分解性と低温度での水溶解性が最も良く、特徴のアルキルスルホン酸系界面活性剤であった。しかし初期の一定組成のもとでは粘りの状況に不安があり、重質感がないことから他原料に移行し、アニオン系のＬＡＳ，ＡＳ，ＡＥＳに比べて使用感についての支持は今一つであった。しかしこれを工夫することによりエコ特性や感触性を加味した中性食器用洗剤の開発に取り組み、新たに本発明を開発したものである。【０００５】  これに関しての本発明者は平成２１年１２月１７日にその実情を察し、ＳＡＳに関する新たなる両性イオン界面活性剤を含んだ弱酸性〜中性に至る特許を出願したが、その後更に研究を重ね両性イオン界面活性剤を含まなくても、有効である同タイプのＳＡＳを主軸とした洗剤を形成するに至った。両性イオンの特性は等電点で最良の成果を出す力があり、洗浄力を発揮し、コスト削減もベストであるが、中性タイプを使用するユーザーにとっては物足りなく感じる。しかし食器等は元より野菜・果物やシルク・ウールなどの洗浄も可能である。また原料の使い方により水分を６０％以上含む事で、両性活性剤が増量することにより、その中の既存する水分も増加し、その結果粘度や外観に変化が生じ、他製品と同様の感触を発揮し、発想の転換により本発明の完成に至ったものである。【０００６】  また、ＳＡＳはＡＡ（脂肪酸アルカノールアミド、以下ＡＡと称する）と併用して有効成分１５％〜３０％の商品に利用され、市販されるものもあるがＬＡＳ，ＡＥＳ，ＡＳなどと比較しても使用感が悪く、更にコスト高も加わり商品としての人気度が低かった。
また次亜塩素酸塩（ＮａＯＣｌ）入り、ソルベント入り、クレンザー入り等の商品についても、ＳＡＳの成分特徴を生かせず、扱いも不向きとされる現状であった。【０００７】  そこで本発明者はＳＡＳの資料をドイツのメ−カ−から調達し、過去における実験経過等について本格的に見直しを試みた。
ＳＡＳは１９９０年ごろ日本では同種のＡＯＳ（α−オレフィンスルホネート）がＴＯリアクタ−で初めて開発されたが、粉末状で吸湿性が強く商品化は難しく、すべからく「粉末物」に終始していた。その後２１世紀のテーマであるコンセプト（エコ）が注目され始めた為、当該の商品を開発したメーカーがＳＡＳを精査し商品化、先行したがさらに課題も多くＳＡＳは歴史から忘れられようとした。しかし近年界面活性剤の併用など技術革新を経て、他にＬＡＳやＡＥＳを併用することを大きな目標とし、再び大手メーカーでも新たなる用途を検討する要素が見られつつある。
【発明の概要】
【本発明の解決しようとする課題】
【０００８】  近年、洗剤においてもＧＨＳ、ＰＲＴＲ、ＭＳＤＳの規定や容器包装リサイクル法等に合致した製品の開発が必要となっており、本発明は１９９０年頃、ＳＡＳの国産化の成果を通じて新たに、この究明が結実するのを期して再検討し、別表の資料で参照されるように、さらにＳＡＳの力をグレードアップする革新的変革（インノベイティブ  チェンジ）を思い出し、ＬＡＳ，ＡＥＳ，ＡＳ，石けん（ＦＳ），に比べＳＡＳの生産使用量が低い原因やその品質、特性を可能な限り見直し、性能面から検討、吟味して精査した。
【０００９】  先ず各アニオン系、ノニオン系の代表として水分、ｐＨをコントロールして、その含有量や割合を変えながらベストの状況を追究することについて、従来から当り前の処方であるＬＡＳとＡＡ，ＡＥＳとＡＡ，石けんとＡＡ，ＳＡＳとＡＡ，の組合せでＳＡＳに特化して、他のアニオンとの決定的な差異を見出して本発明の切り口を開いた。
【００１０】  元々ＳＡＳの魅力は生分解性だけでなく、耐酸、耐アルカリ、なかでも塩素系漂白（ＮａＯＣｌ系）として、ＳＡＳが唯一すぐれており、安定性（塩素イオンとの相性）も抜群であることを究明し発明者自ら昭和５８年１２月１２日に、特願昭５８−２３４０９９（これは最終的に登録された）に関係している。それは塩素系やアルカリ性成分として、他のアルキルフェニルエーテルなど（即ちベンゼン環にアルキル基をスルホン酸塩に付けたもの）が知られていたが、ノニルフェノール（ＮＰ）と共に１９９０年代に米国の副大統領のアルゴアや第２のレイチェル・カーソンといわれたコルボーンの「奪われし未来」で「環境ホルモン」と名付けられたものをそのメーカーに打診して、より一層ＳＡＳの研究開発に力が入ってきた。当時日本で日鉱本社が精査した直近のデータでは実験開始３０日以内で即応性、汎用性のＬＡＳとＳＡＳの比較したデータ（表１）に衝撃を感じたものであり、正直これが有意性であるとは予測の範囲をこえていた。
【００１１】
【表１】
2014214304.tif 000002
【００１２】  そこで本発明は実現に向けた実質上の点についてＳＡＳの弱点を逆用し、特性とする仕組みを窮出した訳であり、本発明はアニオン系界面活性剤として２１世紀の主役になるのに相応しく、日本におけるＳＡＳを１９９０年の開発以来見守り続け、ＳＡＳ自身の弱点を活かした組成物の状況を開発する必要があると考え、これを実現させたものである。開発中は幾度か「ＳＡＳ＋ノニオンの併用」をただ漫然と処方したが、本発明はＳＡＳの濃度域により粘りがないこと、及び即溶するとそれが中性の明確な粘性活動を有しない為、使用者からすると淡白な使用感の洗剤となり、一般的に効果が少ないとの感じが弱点であり、この課題の解決こそがＳＡＳの活性化を図る目安となった。一方ＳＡＳは１９９０年以降の安全性について、生分解性，ＴＬｍ，ＢＯＤ，ＬＤ５０，など比較されているアニオン系の中でＡＥＳ，ＡＳ，ＡＰＳ（アルキルリン酸塩），及び石けん（高級脂肪酸、アルカリ酸塩）等に対しＳＡＳのデータは明らかに良いことが改めて証明された。（メーカー名はバイエル、ヘキスト、ＢＡＳＦ、日本鉱業である）
【００１３】
【表３】
2014214304.tif 000003
【００１４】  本発明の具体的組成への道は、１９６０年以降の代表となっているアニオン系、ノニオン系で構成され、戦後（Ｓ２０年）のアニオン系代表の種類としては
▲１▼石けん，ヤシ脂肪酸カリ（液状），ソープ（固形物）
▲２▼高級アルコール系，サルフェート（ＡＳ）又はエーテルサルフェート（ＡＥＳ）
▲３▼アルキルベンゼンスルホン酸とする直鎖状（ＬＡＳ）、分岐状（ＡＢＳ）と２種あるが、主に環境に配慮する為、ＬＡＳとする
▲４▼本発明のアルキルスルホン酸（ＳＡＳ）は石油精製により得られるｎ−パラフィン系で又、この他にＡＯＳ，ＭＡＰなどがある。（ＡＯＳ：α−オレフィンスルホネートソーダ）（ＭＡＰ：アルキルリン酸ソーダ）
とりわけ▲１▼〜▲４▼の使用比率は全アニオン系の９割を超える製造実績があった。
そこで新たに次のサンプルを作成し、その粘度と外観を精査した。（（表２）参照）
【００１５】  先ず▲１▼〜▲４▼が８０％に対しＡＡが２０％の割合と▲１▼〜▲４▼が２０％に対しＡＡが８０％の２通りを特定して原料組成の動向をトレースした。このアニオン＋ノニオンの有効成分は１５％と３０％の水溶液プラスＰＧ（プロピレングリコール）５％入りを利用した。
【表２】
2014214304.tif 000004
上記表は各メーカーのデータから引用したものを一つの目安とし参照して表を作製した。
テスト条件は各サンプルを  −１５℃→０℃→２０℃→４０℃→２０℃を経由した（２日間）ファイナル２０℃の外観と粘度を調査したもの。
粘度では単にＣＰ→ｍＰａ・ｓ（２０℃）
テストの外観  ○−殆んど変わらない、微黄色透明液        △−白色状、微濁
×−混濁、分離状液      ※テストの外観は３人の合計で評価した
【００１６】  以上から判明したことは、ＳＡＳはＡＡを主軸に処理したものが、湿度や温度に拘らず、安定性のある構造粘性を見出した。
この結果を元に先付けとなるべくＳＡＳとノニオン系界面活性剤の代表的な組み合わせをすることにより安定性、成形性を求め、更に本発明の必然の中における偶然という意味で、ＳＡＳとノニオン系のＡＡ（高級アルコール），ＡＥ（エトキシレート）及びＡＧ（アルキルグリコシド）の３種を界面活性剤とＳＡＳ及び各原料との組み合わせ比較について８０％：２０％の割合で作成し、試験した。
【００１７】供試液（成分比率）の一覧表を次のとおりとした。
【表４】
2014214304.tif 000005
各供試液６種の２０％水溶液を作製、ｐＨ７．０値とし、ＰＧ．５％を添加調合した液を各サンプルとして、温度変化（−１５℃〜０℃〜２０℃〜４０℃）による保存状態を観察した。
【００１８】
【表５】
2014214304.tif 000006
不、良の外観を３人のモニターにより目視観察し、トータル評価で示している
表に明示してまとめた結果、本発明のＳＡＳとＡＡの存在と融合が、極めて有意性の高い組み合わせであることを証明している
【課題を解決する為の手段】
【００１９】  かくして本発明の構成方法は以下の範囲に厳格に限定されることにより、その顕著な成果を確認できたわけである。
（１）ＳＡＳ（アニオン）  １０〜３０％  （２）ＡＡ  （ノニオン）  ３０〜６５％
（１）と（２）の合計が    ６０〜８５％  （３）多価アルコール        ５〜１５％
（４）ＯＨを有するカルボン酸を中和剤（α−ＨＡ（ヒドロキシアミド）としたものを        ０．５％〜５％
（５）水分を１０％未満としたＳＡＳを含む液状物であり、安定性のある効果を発揮す        る。
【００２０】  本出願人が先に出願した（平成２１年１２月１９日付）ベタイン系両性イオンを含むものに比べ、本発明は作業性がよく、粘度が均一化し易い、ただ両性イオンを利用し商品化されているものは水分は多く含むものであり、配合が制約され且つ、両性イオンの価格が５０〜２００％割高になり、しかも実際に見てわかるように洗剤の化合物としては不利な結果を残している。
又、この３０年来の商品ボトル内容量は３００〜８００ｍｌで流通し、内容成分は進化しても同一規格で市販され、使用者はそのまま原液を使用し、その容器は廃棄物へというパターンが繰り返されている。
【００２１】  本発明品は使用時に原液を１０倍〜１２倍に水で希釈、使用しても粘性や界面活性剤のコロイド形成力は堅持しているので、実際のテストでは次のようになる。ステンレスプレートにマヨネーズやバターを塗布して本発明品の１０倍水希釈品（粘性は原液１３５１０倍では１４４ｍＰａ・ｓ）と、比較用として市販の大手品を使って比べると、塗布した汚れに各洗剤を付け、よく混合し、後に水ですすぎ洗浄した結果、ステンレスの汚れは本発明品がすぐれている結果を得た。
【００２２】  同じことは油性マーカーをマークしてそれぞれの洗剤を付けてこすると本発明品は剥離するように除去して、対象品は汚れの乳化はすぐれているが肝心の汚れの剥離性は本発明品が数倍早い。この原因は水、汚れ、洗剤の３つがバランスのよいトライアングル化でヴァントホフの水電解質の作用が奏功しているものである。つまり界面活性剤だけの力では洗浄力の中心である筈の水がフルに機能しない偏差を生じている。
【００２３】
【表６】
2014214304.tif 000007
（Ａ）は本発明の代表の原液を蒸留水で５、１０倍位に水希釈して粘度を調べた。
１〜５倍〜１０倍〜１５倍の希釈粘度の値を調べたが数値は変化しなかった。
（Ｂ）は大手市販品を参考品とした。
【００２４】  本発明はこの粘度の恒常性を重視し、本発明の組成体について性能と状況を展開することの意外性を追認することとした。
つまり、ＳＡＳとＡＡの組み合わせと水分の含有量及びその比率を大胆に改革すれば、想定外のプラスアルファの効果が発生する。
これに関しては「１９７９  油化学  常盤文克  洗剤レポート」に収載されたように、界面活性剤はその組合せ、割合、工夫により相乗効果をもたらしており、そのことをまさに証明したものである。
【００２５】  本発明の構成要件は前項条件の下にいくつかの応用が含まれることはいうまでもない。例えば、ＡＡとヤシ油脂肪酸はもとより、他の植物脂肪酸とアルカノールは、エタノール以下イソプロピルアルコ−ル，ブチルアルコール及びこれらに含まれる類似化合物が含まれる。又、この他にヒドロキシカルボン酸（α−ＨＣ）で中和した塩類が構造粘性の固有化を促して緩衝作用（バッハ効果）も加わり合ったことでその効果が実現できる。
【００２６】  他に皮膚用で他社品として多く利用されている（Ｌアスコルビン酸（ＶＣ），アルギン酸ソーダ，アスパラギン酸塩，ＰＶＰ，スチレン無水マレイン酸，レチナ−ル，セラミド，セ−ジエキス，アロエエキス．レシチン，エラスチン，ユ−カリ，ロ−ズ・マリ−，ティトリ−オイル，シトラスオイル，その他ハ−ブエキス（１９９９．２．２８日本アロマテラピ−学会資料など参考されている）等、又その他水に溶かし（親水性の緩衝剤などとして、コロイダルシリカ，コロイダルアルミナ，フミン酸，ホワイトカ−ボン，ヒドロキシアパタイト，アンモナイト，イルミナイト，ビタミン類，リコピン，ニコチン酸，パントテン酸，βカロチン，グリシン，システイン）などその目的とした成分原料を適宜フリ−に受容できる性質を有することから、有害成分や有害物質など反生物的障害反応（アレルギ−，アトピ−，ウイルス等）を軽減することが可能となる。
【００２７】  これはＳＡＳというアニオン系は他の物質との共存性（Ｃｏｅｘｉｓｔｅｎｃｅ）が特に他のアニオンに比して優れていることから起因するもので、これが本発明の特徴でもある。
【本発明の効果】
【００２８】  以上の如く本発明はＳＡＳの有するワイドな耐久力、汎用性から限りなく組合せを有する洗剤群を生み出すことが可能であると共に、以下の如く効果を実現させている。従来製品の台所洗剤の場合は、この３０年間容器は使い捨て、製品の使い方などの方法はさほど変化はないが、他社と洗浄力の競争力アップする目的で、成分の界面活性剤は１０％強から５０％位まで多量に使用され、洗浄のスピ−ド化等も要求され、たとえば洗浄に直接関係のない物質の泡切れ剤を混合、早く消泡もするが、附着残滓が発生するなど成分について不必要な強化がされている。この為に余計な成果を求める余りに排水時に水質汚染の原因になるとも予想される。
【００２９】  本発明はまず、界面活性剤の有効成分を８０％以上にし、水による５倍〜１２倍に希釈調整して使用することにより、荷姿の軽減化を図り、使用目的に応じて容器、包材、流通コスト等の３０％以上の低減と優れ、高濃縮で希釈タイプにより環境にもやさしいが、洗浄力、性能は低下せず、希釈してもその粘度を保ち、粘性や使用感も変わらず使用する事が出来、より確実な製品の成果を得ることが出来た。
本発明のコンセプトから特徴であるＪＩＳ−Ｋ３３７０の台所用洗剤のみならずリビング、スポーツ用品、木・皮製品など中性の洗濯用洗剤（シルク、ウール繊維等含む）、にそのまま流用することが出来ることに気づく。又、製品は浸透力、親水力及び仕上がりに優れており、様々な用途で汚れた部分に幅広く簡単に流用出来る。
【００３０】  以下で本発明品及び従来比較例品の具体的物性を明確に検証する。
実施例１として表の供試液品を作成し、以下のテストを実施しその有意性を確認した。
【表７】
2014214304.tif 000008
【００３１】  本発明品１〜５  従来比較例品▲１▼〜▲６▼を用いてＩ外観、ＩＩ粘度について、本発明の有意性を検証した。
検証は各供試液について５倍・１０倍・１５倍の水希釈液を作製し調査した。
常温〜−１５℃〜０℃〜２０℃〜４０℃の温度変化（２４ｈ×３０）による保存状態を観察した。
Ｉ．外観
モニター３名の目視による官能検査にてテストした結果を下記の表にした。
○当初と殆んど差はなし
△少し半濁、増粘の兆しが見られるが一応問題なし
×分離、凝折の兆しあり
ＩＩ．粘度
〈粘度〉単位−ｍＰａ・ｓ（参考ＣＰ）
【００３２】
【表８】
2014214304.tif 000009
【表９】
2014214304.tif 000010
【００３３】  以下本発明の特筆すべき２つの結果は、大きな有意性を吐露する余り、その意外性は予測を超えたものであった。これは各成分がそれぞれ水の中でのビヘイビアだけでなく、特に水との比率と温度にあり、構造粘性を生かし、これが結果としてスキンケア、スピードリンス、泡切れ促進、界面活性剤とのバランスが微妙に分配して、恒常性に作用することを工夫したものであると考察する。
【００３４】本発明及び従来比較例品について粘度の偏差率を求め表の作製をする
偏差率の計算式例えば
希釈倍数    ５倍，  １０倍，  １５倍
本発明供試液品  １．    １６０，１５０，  １２４，  １６０，−１２４，／１６０，＝２３％
比較例供試液品  ▲１▼．  ６０，  ５１，    ３０，    ６０，−３０，／    ６０，＝５０％
【００３５】
【表１０】
2014214304.tif 000011
５倍から１５倍の粘度の偏差率の数値、それが小さい程粘度がある事が証明される。
上記のごとく比較例は約２５％を超え本発明との明確な有意性を露見した  。
以上、本発明品は比較例品に比べ、２倍以上の実用優位性のある差を示した。
【００３６】  泡立ち及び洗浄力テスト
洗浄力（簡易法）のテストをする為、次に本発明品と市販品との使用時における対比テスト用の特製硬水を作成する。
水１ｌに対しＣａＣｌ２２Ｈ２Ｏ（塩化カルシュウム）を５．０ｇとＭｇＳＯ４（マグネシウム）１０．０ｇを混合したものを硬水試液として２００ｍｌのガラスビカ−に水１００ｍｌをいれて用意する。
次に本発明のサンプル供試液の代表として、供試液１と４を１０倍の希釈液にした「１の１０」「４の１０」の２種類と市販大手メーカーＡ社，Ｂ社各２品の４種を次の使用状況を作り対比、参考として洗浄力の実使用状態についてテストをした。
【００３７】    第一テスト方法として、ステンレスプレート（ＳＵＳ３０４  厚み０．５ｍｍ）約５０ｃｍ２（７．１×７．１）のそれぞれに市販品ラー油を３ｍｌ塗布し、その上にそれぞれ供試液洗剤を３ｍｌおとし、各試液品を同様の力にて軽く混ぜ、白濁状態を得る。次にバットに水を張り、各プレートを水に２回くぐらせ、洗浄残量（白濁の面積）がプレートに占める割合を算出する。第２のテストは４枚の鏡面（５×５ｃｍ）２５ｃｍ２に、牛脂（ヘッド）を用いて万遍なく塗布し、３分間放置し、これに４種の供試液５ｇを落とし、軽く混ぜ３分〜５分程度放置する。その後バットの１０℃の水中に３回各検体をくぐらせ、洗浄後の残留を算出する。
【表１１】
2014214304.tif 000012
結果、本発明品は分散状態が良く、油分の剥がれもよい状態か見られた。
【００３８】
【表１２】
2014214304.tif 000013
評価、本発明品はコロイダル状況を形成して、表面張力が降下し、浸透力に優れ、洗浄力がアップする結果と考察した。
【００３９】  この結果からも明白なことで本発明の水溶液は、コロイド状に変化して光の屈折や乱反射を加えて官能テスト（視覚法１８世紀ドイツの心理学者のウェーバーとその弟子フェヒトーの発見した「ウェーバー  フェヒトーの法則」）を基にして行った。又、本発明の第１の特徴として耐硬水性の大きな特徴であることを下記の方法で確認した。
【表１３】
2014214304.tif 000014
テスト法は１０％液をとかし、分散させて１００ｍｌ注入して、常温で３０分以内静置してからその外観を比較した。
評価は官能（外観）テストにて３名によるモニターの視覚を４段階評価とした。
◎  全く濁りなし  （水と同じ）
○  若干白い泡や未積物が停滞している
△  少し白濁して数種の層が混在している
×  白濁し沈殿物など分離している
以上の結果から、本発明に特化、調合したものは極めて意外な結果を出すことを供試液でその数の制限を調べて記すことができた。
【００４０】
【表１４】
2014214304.tif 000015
【００４１】実施例２で作成したサンプルを用いて、以下の通りのテストを行った。
Ｉ．洗浄力テスト
（その１）スライドグラス（７０×１５ｍｍ）の上に油性マーカー（黒）で着色して３０℃で４時間放置したものを、それぞれ３枚ずつ（１１種＋２種＝１３種）×３＝３９種枚  （ｎ＝３）用意し、試用液はそれぞれの１０倍液（本発明品は１０倍のものを更に１０倍希釈した）にしてその洗浄力を調べた。
【表１５】
2014214304.tif 000016
洗浄率はスライドガラスのマーカーが乖離している割合を目測で算出した。
（数値が大きいほどよく落ちている）
（その２）磁製皿（１０ｃｍ）にラー油＋クロロホルム（カーボンプラソで着色）で作成した汚れ液を調整して常温で６０分放置してから２０℃の水中に各供試液（本発明品６〜１０，）を円状に塗布後、各々３枚ずつ×１３枚（３９枚）を２４時間放置してから２０℃の水中に供試液（本発明品６〜１０、比較例品▲７▼〜▲１１▼、大手市販製品Ａ・Ｂ）の１０％液を侵入させて３０分つけこみ、その時の洗浄率を平均値（ｎ＝３）で示した。
【００４２】
【表１６】
2014214304.tif 000017
数値が大きい程洗浄力が優れている
【００４３】表面張力の降下の結果
表面張力（Ｎｍ）（ＪＩＳＫ−３３６２）
供試液用は本発明品５〜９，  従来品比較例品▲７▼〜▲１１▼，  大手市販品Ａ・Ｂその０．５％，２％のｎ−３で示す。
【表１７】
2014214304.tif 000018
【表１８】
2014214304.tif 000019
【００４４】ＩＶ泡切れテスト
・実施例は供試液として本発明品（６・７・８・９・１０）、比較例品  （▲７▼・▲８▼・▲９▼・▲１０▼・▲１１▼）の１０倍液を作製する
・テスト方法：水１ｌに試供液を１ｍｌ入れ、更に大手２社（Ａ・Ｂ）も栓付メスシリンダーに各１００ｍｌ入れ、この１００ｍｌの水を１回、２回、３回各それぞれを１５０回撹拌し、各種類の泡の状況を見て、３回目の泡の状況が０の近いものが泡切れのよいことを示す。
【表１９】
2014214304.tif 000020
結果、本発明の供試液６〜１０は泡切れが早いことが証明された。
本発明品は水による希釈タイプであっても、大手市販品に対しても遜色無く十分に対応出来、容器、運搬、包装資材などの減量化に寄与する事を確信した。